【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
表示部に表示される画像を接眼レンズを介して視認可能にする電子ビューファインダを有する撮像装置であって、
上記電子ビューファインダの表示パネルの初期白色点として予め保持する記憶手段と、
撮影環境の光源情報に基づいて上記電子ビューファインダの表示パネルの目標白色点を算出する算出手段と、
上記電子ビューファインダに対するユーザの接眼／非接眼を検出する接眼検出手段と、
上記ユーザが白いものを白と認知できる光源の範囲である順応光源範囲に対応する白色点範囲を順応追従範囲とし、その順応追従範囲を予め指定しておき、上記初期白色点もしくは上記目標白色点が上記順応追従範囲から外れるか否かを判定する判定手段と、
上記接眼検出手段により上記ユーザの接眼が検出された場合は、上記初期白色点で上記電子ビューファインダの表示パネルの表示を開始させた後、上記電子ビューファインダ表示パネルの白色点を上記初期白色点から経時変化させて上記目標白色点となるように制御する表示制御手段と、
を備え、
上記判定手段により、上記初期白色点もしくは上記目標白色点が上記順応追従範囲から外れると判定された場合には、上記算出手段は、上記順応範囲内に入るように新しい初期白色点もしくは新しい目標白色点として算出することを特徴とする撮像装置。
【請求項２】
さらに、上記順応追従範囲を切り換える切り換えフラグを設定する順応追従範囲設定手段を備え、
上記判定手段は、第１の順応追従範囲と、上記第１の追従範囲とは異なる第２の順応追従範囲を備え、上記順応追従範囲設定手段で設定された上記切り換えフラグに基づいて、上記第１の順応追従範囲と上記第２の順応追従範囲の切り換えを判定し、
上記算出手段は、上記第１の順応追従範囲、もしくは上記第２の追従範囲内に入るように新しい初期白色点、もしくは新しい目標白色点として算出する、
ことを特徴とする請求項１に記載の撮像装置。
【請求項３】
上記判定手段の備える第２の順応追従範囲は、上記第１の順応追従範囲を含み、より広い範囲であることを特徴とする請求項１または２に記載の撮像装置。
【請求項４】
上記順応追従範囲設定手段は、スイッチの操作、被写界輝度、焦点距離、主要被写体の動き、カメラの動きの少なくとも１つに応じて上記順応追従範囲を設定することを特徴とする請求項２または３に記載の撮像装置。
【請求項５】
上記記憶手段は、初期白色点としてデフォルトの白色点を記憶していることを特徴とする請求項１ないし４のいずれか１項に記載の撮像装置。
【請求項６】
上記算出手段は、上記デフォルトの白色点と上記撮影環境の光源情報に対する白色点とを通る線上において、上記順応追従範囲の境界内に新しい初期白色点もしくは新しい目標白色点を算出することを特徴とする請求項１ないし５のいずれか１項に記載の撮像装置。
【請求項７】
上記接眼検出手段が上記ユーザの接眼を検出してからの経過時間として接眼時間を計時する計時手段を、更に備え、
上記表示制御手段は、予め指定された白色点変更変化率と上記接眼時間とに基づいて、上記電子ビューファインダ表示パネルの白色点の変化を制御することを特徴とする請求項１ないし６のいずれか１項に記載の撮像装置。
【請求項８】
上記算出手段は、上記電子ビューファインダの表示パネルの表示開始時における撮影環境の光源情報に基づいて上記新しい初期白色点を算出することを特徴とする請求項１ないし７のいずれか１項に記載の撮像装置。
【請求項９】
表示部に表示される画像を接眼レンズを介して視認可能にする撮像装置における電子ビューファインダであって、
上記電子ビューファインダの表示パネルの初期白色点として予め保持する記憶手段と、
撮影環境の光源情報に基づいて上記電子ビューファインダの表示パネルの目標白色点を算出する算出手段と、
上記電子ビューファインダに対するユーザの接眼／非接眼を検出する接眼検出手段と、
上記ユーザが白いものを白と認知できる光源の範囲である順応光源範囲に対応する白色点範囲を順応追従範囲とし、その順応追従範囲を予め指定しておき、上記目標白色点もしくは上記初期白色点が上記順応追従範囲から外れるか否かを判定する判定手段と、
上記接眼検出手段により上記ユーザの接眼が検出された場合は、上記初期白色点で上記電子ビューファインダの表示パネルの表示を開始させた後、上記電子ビューファインダ表示パネルの白色点を上記初期白色点から経時変化させて上記目標白色点となるように制御する表示制御手段と、
を備え、
上記判定手段により、上記初期白色点もしくは上記目標白色点が上記順応追従範囲から外れると判定された場合には、上記算出手段は、上記順応範囲内に入るように新しい初期白色点もしくは新しい目標白色点として算出することを特徴とする電子ビューファインダ。
【請求項１０】
表示部に表示される画像を接眼レンズを介して視認可能にする電子ビューファインダと、上記電子ビューファインダの表示パネルの初期白色点として予め保持する記憶手段を有する撮像装置における表示制御方法であって、
撮影環境の光源情報に基づいて上記電子ビューファインダの表示パネルの目標白色点を算出する算出ステップと、
上記電子ビューファインダに対するユーザの接眼／非接眼を検出する検出ステップと、
上記ユーザが白いものを白と認知できる光源の範囲である順応光源範囲に対応する白色点範囲を順応追従範囲とし、その順応追従範囲を予め指定しておき、上記目標白色点もしくは上記初期白色点が上記順応追従範囲から外れるか否かを判定する判定ステップと、
上記検出ステップにより上記ユーザの接眼が検出された場合は、上記初期白色点で上記電子ビューファインダの表示パネルの表示を開始させた後、上記電子ビューファインダ表示パネルの白色点を上記初期白色点から経時変化させて上記目標白色点となるように制御する表示制御ステップと、
を備え、
上記判定ステップにより、上記初期白色点もしくは上記目標白色点が上記順応追従範囲から外れると判定された場合には、上記算出ステップは、上記順応範囲内に入るように新しい初期白色点もしくは新しい目標白色点として算出することを特徴とする表示制御方法。
【請求項１１】
表示部に表示される画像を接眼レンズを介して視認可能にする電子ビューファインダと、上記電子ビューファインダの表示パネルの初期白色点として予め保持する記憶手段を有する撮像装置におけるコンピュータを実行する表示制御用プログラムであって、
撮影環境の光源情報に基づいて上記電子ビューファインダの表示パネルの目標白色点を算出する算出ステップと、
上記電子ビューファインダに対するユーザの接眼／非接眼を検出する検出ステップと、
上記ユーザが白いものを白と認知できる光源の範囲である順応光源範囲に対応する白色点範囲を順応追従範囲とし、その順応追従範囲を予め指定しておき、上記目標白色点もしくは上記初期白色点が上記順応追従範囲から外れるか否かを判定する判定ステップと、
上記検出ステップにより上記ユーザの接眼が検出された場合は、上記初期白色点で上記電子ビューファインダの表示パネルの表示を開始させた後、上記電子ビューファインダ表示パネルの白色点を上記初期白色点から経時変化させて上記目標白色点となるように制御する表示制御ステップと、
を備え、
上記判定ステップにより、上記初期白色点もしくは上記目標白色点が上記順応追従範囲から外れると判定された場合には、上記算出ステップは、上記順応範囲内に入るように新しい初期白色点もしくは新しい目標白色点として算出する、
ことをコンピュータに実行させることを特徴とする表示制御用プログラム。
【手続補正２】
【補正対象書類名】明細書
【補正対象項目名】００１６
【補正方法】変更
【補正の内容】
【００１６】
第３の発明に係る撮像装置は、上記第１または第２の発明において、上記判定手段の備える第２の順応追従範囲は、上記第１の順応追従範囲を含み、より広い範囲である。
第４の発明に係る撮像装置は、上記第２または第３の発明において、上記順応追従範囲設定手段は、スイッチの操作、被写界輝度、焦点距離、主要被写体の動き、カメラの動きの少なくとも１つに応じて上記順応追従範囲を設定する。
【手続補正３】
【補正対象書類名】明細書
【補正対象項目名】００１９
【補正方法】変更
【補正の内容】
【００１９】
第９の発明に係る電子ビューファインダは、表示部に表示される画像を接眼レンズを介して視認可能にする撮像装置における電子ビューファインダであって、上記電子ビューファインダの表示パネルの初期白色点として予め保持する記憶手段と、撮影環境の光源情報に基づいて上記電子ビューファインダの表示パネルの目標白色点を算出する算出手段と、上記電子ビューファインダに対するユーザの接眼／非接眼を検出する接眼検出手段と、上記ユーザが白いものを白と認知できる光源の範囲である順応光源範囲に対応する白色点範囲を順応追従範囲とし、その順応追従範囲を予め指定しておき、上記初期白色点もしくは上記目標白色点が上記順応追従範囲から外れるか否かを判定する判定手段と、上記接眼検出手段により上記ユーザの接眼が検出された場合は、上記初期白色点で上記電子ビューファインダの表示パネルの表示を開始させた後、上記電子ビューファインダ表示パネルの白色点を上記初期白色点から経時変化させて上記目標白色点となるように制御する表示制御手段と、を備え、上記判定手段により、上記初期白色点もしくは上記目標白色点が上記順応追従範囲から外れると判定された場合には、上記算出手段は、上記順応範囲内に入るように新しい初期白色点もしくは新しい目標白色点として算出する。
【手続補正４】
【補正対象書類名】明細書
【補正対象項目名】００２０
【補正方法】変更
【補正の内容】
【００２０】
第１０の発明に係る表示制御方法は、表示部に表示される画像を接眼レンズを介して視認可能にする電子ビューファインダと、上記電子ビューファインダの表示パネルの初期白色点として予め保持する記憶手段を有する撮像装置における表示制御方法であって、撮影環境の光源情報に基づいて上記電子ビューファインダの表示パネルの目標白色点を算出する算出ステップと、上記電子ビューファインダに対するユーザの接眼／非接眼を検出する検出ステップと、上記ユーザが白いものを白と認知できる光源の範囲である順応光源範囲に対応する白色点範囲を順応追従範囲とし、その順応追従範囲を予め指定しておき、上記初期白色点もしくは上記目標白色点が上記順応追従範囲から外れるか否かを判定する判定ステップと、上記検出ステップにより上記ユーザの接眼が検出された場合は、上記初期白色点で上記電子ビューファインダの表示パネルの表示を開始させた後、上記電子ビューファインダ表示パネルの白色点を上記初期白色点から経時変化させて上記目標白色点となるように制御する表示制御ステップと、を備え、上記判定ステップにより、上記初期白色点もしくは上記目標白色点が上記順応追従範囲から外れると判定された場合には、上記算出ステップは、上記順応範囲内に入るように新しい初期白色点もしくは新しい目標白色点として算出する。
【手続補正５】
【補正対象書類名】明細書
【補正対象項目名】００２１
【補正方法】変更
【補正の内容】
【００２１】
第１１の発明に係る表示制御プログラムは、表示部に表示される画像を接眼レンズを介して視認可能にする電子ビューファインダと、上記電子ビューファインダの表示パネルの初期白色点として予め保持する記憶手段を有する撮像装置におけるコンピュータを実行する表示制御用プログラムであって、撮影環境の光源情報に基づいて上記電子ビューファインダの表示パネルの目標白色点を算出する算出ステップと、上記電子ビューファインダに対するユーザの接眼／非接眼を検出する検出ステップと、上記ユーザが白いものを白と認知できる光源の範囲である順応光源範囲に対応する白色点範囲を順応追従範囲とし、その順応追従範囲を予め指定しておき、上記初期白色点もしくは上記目標白色点が上記順応追従範囲から外れるか否かを判定する判定ステップと、上記検出ステップにより上記ユーザの接眼が検出された場合は、上記初期白色点で上記電子ビューファインダの表示パネルの表示を開始させた後、上記電子ビューファインダ表示パネルの白色点を上記初期白色点から経時変化させて上記目標白色点となるように制御する表示制御ステップと、を備え、上記判定ステップにより、上記初期白色点もしくは上記目標白色点が上記順応追従範囲から外れると判定された場合には、上記算出ステップは、上記順応範囲内に入るように新しい初期白色点もしくは新しい目標白色点として算出する、ことをコンピュータに実行させる。
【手続補正６】
【補正対象書類名】明細書
【補正対象項目名】００２７
【補正方法】変更
【補正の内容】
【００２７】
撮影レンズ２０１は、被写体像を形成するための光学レンズであって、単焦点レンズまたはズームレンズを有している。この撮影レンズ２０１の光軸上の後方には、絞り２０３が配置されており、絞り２０３は口径が可変であり、撮影レンズ２０１の通過した被写体光束を制限する。
【手続補正７】
【補正対象書類名】明細書
【補正対象項目名】００５７
【補正方法】変更
【補正の内容】
【００５７】
アイセンサ１４１は、人の顔がアイセンサ１４１に近づくと、検知信号を出力し、マイクロコンピュータ１２１は、ＥＶＦドライバ１３７に対して制御信号を送信し、ＥＶＦ１３９に画像を表示する。また、人の顔がアイセンサ１４１から遠ざかると、非検知信号を出力し、マイクロコンピュータ１２１は、ＥＶＦドライバ１３７に対して制御信号を送信し、ＥＶＦ１３９を非表示状態にする。アイセンサ１４１は、ＥＶＦに対するユーザの接眼／非接眼を検出する接眼検出手段としての機能を果たす。
【手続補正８】
【補正対象書類名】明細書
【補正対象項目名】００８１
【補正方法】変更
【補正の内容】
【００８１】
この白色点算出１のフローに入ると、まず、初期白色点（Ｗｓ）を取得する（Ｓ６０１）。ここでの初期白色点は、カメラとして予め設定しているデフォルトの白色点でもよいし、図７に示すように撮影光源情報を元に算出した白色点でもよい。デフォルトの白色点を用いる場合には、予めフラッシュメモリ１２５に記憶しておきこの値を読み出す事になる。その際の初期白色点（Ｗｓ）としては、例えば、ＣＩＥが規定するＤ６５や、写真の昼光（太陽光）として一般的な約５５００Ｋを使用する。
【手続補正９】
【補正対象書類名】明細書
【補正対象項目名】００９３
【補正方法】変更
【補正の内容】
【００９３】
一方、ステップＳ７０４における判定の結果、Ａフラグ（ｆｌｇ＿Ａ）が１であった場合には（すなわち、ｆｌｇ＿Ａ＝１）、色順応範囲（Ｑ２）を取得する（Ｓ７０６）。画像のＷＢ処理として、色味残し有りで処理された画像データをＥＶＦパネルに表示する場合、既に画像データの方で色味残しを行っている。そのため、色づいて見える環境下では、見た目通り色づいて見せるうえで、ＥＶＦパネルの白色点設定の範囲としては、色づいて見せる必要はなく、それを考慮した色順応範囲（Ｑ２）を取得する。色順応範囲Ｑ１は、図１７に示すように、色順応範囲Ｑ１によりも広い範囲である。
【手続補正１０】
【補正対象書類名】明細書
【補正対象項目名】０１０５
【補正方法】変更
【補正の内容】
【０１０５】
ステップＳ８０３において目標白色点（Ｗｔ）を算出すると、次に、ステップＳ７０３と同様に、Ａフラグ（ｆｌｇ＿Ａ）を取得する（Ｓ８０４）。続いて、ステップＳ７０４と同様に、ｆｌｇ＿Ａ＝１か否かを判定し（Ｓ８０５）、この判定の結果ｆｌｇ＿Ａ＝１でなかった場合には、ステップＳ７０５と同様に、色順応範囲（Ｑ１）を取得し（Ｓ８０６）、一方、ｆｌｇ＿Ａ＝１の場合には、ステップＳ７０６と同様に、色順応範囲（Ｑ２）を取得する（Ｓ８０７）。
【手続補正１１】
【補正対象書類名】明細書
【補正対象項目名】０１４１
【補正方法】変更
【補正の内容】
【０１４１】
ステップＳ１４０２における判定の結果、目標白色点（Ｗｔ）が色順応範囲（Ｑ４）内にない場合には、色順応範囲内に収まるように目標白色点（Ｗｔ）を色順応範囲（Ｑ４）内の点に変更する（Ｓ１４０３）。この変更については、前述の図１２における説明と同様である。なお、ステップＳ１４０２における判定の結果、目標白色点（Ｗｔ）が色順応範囲（Ｑ４）内にある場合には、目標白色点（Ｗｔ）は変更することなく、その値をそのまま適用する。
【手続補正１２】
【補正対象書類名】明細書
【補正対象項目名】０１４２
【補正方法】変更
【補正の内容】
【０１４２】
ステップＳ１４０３において目標白色点（Ｗｔ）の変更を行うと、またはステップＳ１４０２における判定の結果、目標白色点（Ｗｔ）が色順応範囲（Ｑ４）内の場合には、次に、｜Ｗ’−Ｗｔ｜＞ΔＷか否かを判定する（Ｓ８１０）。このステップＳ８１０〜Ｓ８１５は、図８における動作と同様であることから、詳しい説明を省略する。
【手続補正１３】
【補正対象書類名】明細書
【補正対象項目名】０１４３
【補正方法】変更
【補正の内容】
【０１４３】
次に、図１５を用いて、ステップＳ１４０１における色順応範囲（Ｑ４）取得の詳しい動作について説明する。図１５のフローに入ると、まず、色順応範囲変更ステップ（ΔＱ）を取得する（Ｓ１５０１）。本変形例においては、撮影者がファインダＥＶＦ１３９を覗いている時間に応じて、色順応範囲を段階的に変更する。このステップでは、色順応範囲を変更する際の変更ステップ（ΔＱ）を読み込む。この変更ステップ（ΔＱ）は、フラッシュメモリ１２５に予め記憶されているので、この値を読み出す。